(57)【要約】  本発明は、第１ネットワークノード及び第２ネットワークノードに関する。第１ネットワークノード（１００）は、少なくとも２つの無線チャネルを介してユーザ装置（５００）と通信するよう構成され、第２ネットワークノード（３００）から前記ユーザ装置（５００）宛のデータフロー（Ｆ）の第１データパケットシーケンス（Ｓ１）を受信するよう構成される通信機（１０２）と、前記第１データパケットシーケンス（Ｓ１）を少なくとも１つの第１データパケットサブシーケンス（Ｓ１１）及び１つの第２データパケットサブシーケンス（Ｓ１２）に分けるよう構成されるプロセッサ（１０４）と、を含み、前記通信機（１０２）は、第１無線チャネル（Ｃ１１）を介して第１周波数リソースセットの中で前記第１データパケットサブシーケンス（Ｓ１１）を、及び第２無線チャネル（Ｃ１２）を介して第２周波数リソースセットの中で前記第２データパケットサブシーケンス（Ｓ１２）を、前記ユーザ装置（５００）へ送信するよう更に構成され、前記第１周波数リソースセット及び前記第２周波数リソースセットは重なり合わない。第２ネットワークノード（３００）は、ユーザ装置（５００）へのＲＲＣ接続を有するよう構成され、前記ユーザ装置（５００）宛のデータパケットを含むデータフロー（Ｆ）を受信するよう構成される通信機（３０２）と、プロセッサ（３０４）であって、前記ユーザ装置（５００）宛の前記データフロー（Ｆ）の少なくとも１つの第１データパケットシーケンス（Ｓ１）を決定し、少なくとも２つの無線チャネルを介して前記ユーザ装置（５００）と通信するよう構成された少なくとも１つの第１ネットワークノード（１００）を決定するよう構成される、プロセッサ（３０４）と、を含み、前記通信機（３０２）は、前記第１ネットワークノード（１００）が前記ユーザ装置（５００）との通信のために少なくとも２つの無線チャネルを有する場合、前記第１ネットワークノード（１００）へ前記第１データパケットシーケンス（Ｓ１）を送信するよう更に構成される。さらに、本発明は、対応する方法、無線通信システム、ユーザ装置、コンピュータプログラム、及びコンピュータプログラムプロダクトにも関する。
2019503606.tif 000002
【特許請求の範囲】
【請求項１】
第１ネットワークノード（１００）と第２ネットワークノード（３００）とを含む無線通信システム（７００）であって、
前記第２ネットワークノード（３００）は、ユーザ装置（５００）へのＲＲＣ接続を有するよう構成され、前記第２ネットワークノード（３００）は、
前記ユーザ装置（５００）宛のデータパケットを含むデータフロー（Ｆ）を受信するよう構成される通信機（３０２）と、
プロセッサ（３０４）であって、
前記ユーザ装置（５００）宛の前記データフロー（Ｆ）の少なくとも１つの第１データパケットシーケンス（Ｓ１）を決定し、
前記第１ネットワークノード（１００）が少なくとも２つの無線チャネルを介して前記ユーザ装置（５００）と通信するよう構成されることを決定するよう構成される、プロセッサ（３０４）と、
を含み、
前記通信機（３０２）は、
前記第１ネットワークノード（１００）が前記ユーザ装置（５００）との通信のために少なくとも２つの無線チャネルを有する場合、前記第１ネットワークノード（１００）へ前記第１データパケットシーケンス（Ｓ１）を送信するよう更に構成され、
前記第１ネットワークノード（１００）は、
前記第２ネットワークノード（３００）から前記第１データパケットシーケンス（Ｓ１）を受信するよう構成される通信機（１０２）と、
前記第１データパケットシーケンス（Ｓ１）を少なくとも１つの第１データパケットサブシーケンス（Ｓ１１）及び１つの第２データパケットサブシーケンス（Ｓ１２）に分割するよう構成されるプロセッサ（１０４）と、
を含み、
前記通信機（１０２）は、第１無線チャネル（Ｃ１１）を介して第１周波数リソースセットの中で前記第１データパケットサブシーケンス（Ｓ１１）を、及び第２無線チャネル（Ｃ１２）を介して第２周波数リソースセットの中で前記第２データパケットサブシーケンス（Ｓ１２）を、前記ユーザ装置（５００）へ送信するよう更に構成され、前記第１周波数リソースセット及び前記第２周波数リソースセットは重なり合わない、無線通信システム（７００）。
【請求項２】
無線通信システム（７００）の第１ネットワークノード（１００）であって、前記第１ネットワークノード（１００）は、少なくとも２つの無線チャネルを介してユーザ装置（５００）と通信するよう構成され、
第２ネットワークノード（３００）から前記ユーザ装置（５００）宛のデータフロー（Ｆ）の第１データパケットシーケンス（Ｓ１）を受信するよう構成される通信機（１０２）と、
前記第１データパケットシーケンス（Ｓ１）を少なくとも１つの第１データパケットサブシーケンス（Ｓ１１）及び１つの第２データパケットサブシーケンス（Ｓ１２）に分割するよう構成されるプロセッサ（１０４）と、
を含み、
前記通信機（１０２）は、第１無線チャネル（Ｃ１１）を介して第１周波数リソースセットの中で前記第１データパケットサブシーケンス（Ｓ１１）を、及び第２無線チャネル（Ｃ１２）を介して第２周波数リソースセットの中で前記第２データパケットサブシーケンス（Ｓ１２）を、前記ユーザ装置（５００）へ送信するよう更に構成され、前記第１周波数リソースセット及び前記第２周波数リソースセットは重なり合わない、第１ネットワークノード（１００）。
【請求項３】
前記データフロー（Ｆ）は、前記第２ネットワークノード（３００）への無線リソース制御（Radio  Resource  Control、ＲＲＣ）接続を有するよう構成される前記ユーザ装置（５００）宛である、請求項２に記載の第１ネットワークノード（１００）。
【請求項４】
前記通信機（１０２）は、前記第２ネットワークノード（３００）から少なくとも１つのＲＲＣ測定レポートを受信するよう更に構成され、前記ＲＲＣ測定レポートは、前記ユーザ装置（５００）と前記第１ネットワークノード（１００）との間の少なくとも１つの無線チャネルに関連し、
前記プロセッサ（１０４）は、前記の受信したＲＲＣ測定レポートに基づき、前記第１データパケットシーケンス（Ｓ１）を分割するよう更に構成される、
請求項２乃至３のいずれかに記載の第１ネットワークノード（１００）。
【請求項５】
前記第１データパケットシーケンス（Ｓ１）は、前記データフロー（Ｆ）の全部のデータパケットのうちの一部である、請求項２乃至４のいずれかに記載の第１ネットワークノード（１００）。
【請求項６】
前記第１データパケットシーケンス（Ｓ１）の前記分割は、前記第１データパケットシーケンス（Ｓ１）の全部のデータパケットを前記第１データパケットサブシーケンス（Ｓ１１）又は前記第２データパケットサブシーケンス（Ｓ１２）のいずれかに分割することを含む、請求項２乃至５のいずれかに記載の第１ネットワークノード（１００）。
【請求項７】
前記第１データパケットサブシーケンス（Ｓ１１）は、前記第１無線チャネル（Ｃ１１）を介して第１無線アクセス技術（Radio  Access  Technology、ＲＡＴ）を用いて送信するよう構成され、前記第２データパケットサブシーケンス（Ｓ１２）は、前記第２無線チャネル（Ｃ１２）を介して第２ＲＡＴを用いて送信するよう構成される、請求項２乃至６のいずれかに記載の第１ネットワークノード（１００）。
【請求項８】
無線通信システム（７００）の第２ネットワークノード（３００）であって、前記第２ネットワークノード（３００）は、ユーザ装置（５００）へのＲＲＣ接続を有するよう構成され、
前記ユーザ装置（５００）宛のデータパケットを含むデータフロー（Ｆ）を受信するよう構成される通信機（３０２）と、
プロセッサ（３０４）であって、
前記ユーザ装置（５００）宛の前記データフロー（Ｆ）の少なくとも１つの第１データパケットシーケンス（Ｓ１）を決定し、
少なくとも２つの無線チャネルを介して前記ユーザ装置（５００）と通信するよう構成された少なくとも１つの第１ネットワークノード（１００）を決定するよう構成される、プロセッサ（３０４）と、
を含み、
前記通信機（３０２）は、前記第１ネットワークノード（１００）が前記ユーザ装置（５００）との通信のために少なくとも２つの無線チャネルを有する場合、前記第１ネットワークノード（１００）へ前記第１データパケットシーケンス（Ｓ１）を送信するよう更に構成される、第２ネットワークノード（３００）。
【請求項９】
前記プロセッサ（３０４）は、前記ユーザ装置（５００）宛の前記データフロー（Ｆ）の少なくとも１つの第２データパケットシーケンス（Ｓ２）を決定するよう更に構成され、
前記通信機（３０２）は、第３無線チャネル（Ｃ２１）を介して第３周波数リソースセットの中で、前記ユーザ装置（５００）へ前記第２データパケットシーケンス（Ｓ２）を送信するよう更に構成される、
請求項８に記載の第２ネットワークノード（３００）。
【請求項１０】
前記通信機（３０２）は、
前記ユーザ装置（５００）からから少なくとも１つのＲＲＣ測定レポートを受信し、前記ＲＲＣ測定レポートは、前記ユーザ装置（５００）と前記第１ネットワークノード（１００）との間の少なくとも１つの無線チャネルに関連し、
前記ＲＲＣ測定レポートを前記第１ネットワークノード（１００）へ転送するよう更に構成される、
請求項８又は９に記載の第２ネットワークノード（３００）。
【請求項１１】
前記通信機（３０２）は、第１無線チャネル（Ｃ１１）を介して又は第２無線チャネル（Ｃ１２）を介して前記第１ネットワークノード（１００）からの第１データパケットシーケンス（Ｓ１）を監視し及び受信するよう、前記ユーザ装置（５００）へ指示を送信するよう更に構成される、請求項８乃至１０に記載の第２ネットワークノード（３００）。
【請求項１２】
無線通信システム（７００）の方法（８００）であって、前記無線通信システム（７００）は、少なくとも２つの無線チャネルを介してユーザ装置（５００）と通信するよう構成される第１ネットワークノード（１００）と、前記ユーザ装置（５００）へのＲＲＣ接続を有する第２ネットワークノード（３００）と、を含み、前記方法（８００）は、
前記第２ネットワークノード（３００）により、前記ユーザ装置（５００）宛のデータパケットを含むデータフロー（Ｆ）を受信するステップ（４０２）と、
前記第２ネットワークノード（３００）により、前記ユーザ装置（５００）宛の前記データフロー（Ｆ）の少なくとも１つの第１データパケットシーケンス（Ｓ１）を決定するステップ（４０４）と、
前記第２ネットワークノード（３００）により、前記第１ネットワークノード（１００）は少なくとも２つの無線チャネルを介して前記ユーザ装置（５００）と通信するよう構成されることを決定するステップ（４０６）と、
前記第２ネットワークノード（３００）により、前記第１ネットワークノード（１００）が前記ユーザ装置（５００）との通信のために少なくとも２つの無線チャネルを有する場合、前記第１ネットワークノード（１００）へ前記第１データパケットシーケンス（Ｓ１）を送信するステップ（４０８）と、
前記第１ネットワークノード（１００）により、前記第２ネットワークノード（３００）から前記第１データパケットシーケンス（Ｓ１）を受信するステップ（２０２）と、
前記第１ネットワークノード（１００）により、前記第１データパケットシーケンス（Ｓ１）を少なくとも第１データパケットサブシーケンス（Ｓ１１）及び第２データパケットサブシーケンス（Ｓ１２）に分割するステップ（２０４）と、
前記第１ネットワークノード（１００）により、第１無線チャネル（Ｃ１１）を介して第１周波数リソースセットの中で第１データパケットサブシーケンス（Ｓ１１）を、及び第２無線チャネル（Ｃ１２）を介して第２周波数リソースセットの中で第２データパケットサブシーケンス（Ｓ１２）を、前記ユーザ装置（５００）へ送信するステップ（２０６）であって、前記第１周波数リソースセット及び前記第２周波数リソースセットは重なり合わない、ステップ（２０６）と、
を含む方法。
【請求項１３】
第１ネットワークノード（１００）の方法（２００）であって、前記第１ネットワークノード（１００）は、少なくとも２つの無線チャネルを介してユーザ装置（５００）と通信するよう構成され、前記方法（２００）は、
第２ネットワークノード（３００）から前記ユーザ装置（５００）宛のデータフロー（Ｆ）の第１データパケットシーケンス（Ｓ１）を受信するステップ（２０２）と、
前記第１データパケットシーケンス（Ｓ１）を少なくとも１つの第１データパケットサブシーケンス（Ｓ１１）及び１つの第２データパケットサブシーケンス（Ｓ１２）に分割するステップ（２０４）と、
第１無線チャネル（Ｃ１１）を介して第１周波数リソースセットの中で前記第１データパケットサブシーケンス（Ｓ１１）を、及び第２無線チャネル（Ｃ１２）を介して第２周波数リソースセットの中で前記第２データパケットサブシーケンス（Ｓ１２）を、前記ユーザ装置（５００）へ送信するステップ（２０６）であって、前記第１周波数リソースセット及び前記第２周波数リソースセットは重なり合わない、ステップ（２０６）と、
を含む方法。
【請求項１４】
第２ネットワークノード（３００）の方法（４００）であって、前記第２ネットワークノード（３００）は、ユーザ装置（５００）へのＲＲＣ接続を有するよう構成され、前記方法（４００）は、
前記ユーザ装置（５００）宛のデータパケットを含むデータフロー（Ｆ）を受信するステップ（４０２）と、
前記ユーザ装置（５００）宛の前記データフロー（Ｆ）の少なくとも１つの第１データパケットシーケンス（Ｓ１）を決定するステップ（４０４）と、
少なくとも２つの無線チャネルを介して前記ユーザ装置（５００）と通信するよう構成された少なくとも１つの第１ネットワークノード（１００）を決定するステップ（４０６）と、
前記第１ネットワークノード（１００）が前記ユーザ装置（５００）との通信のために少なくとも２つの無線チャネルを有する場合、前記第１ネットワークノード（１００）へ前記第１データパケットシーケンス（Ｓ１）を送信するステップと、
を含む方法。
【請求項１５】
コンピュータプログラムであって、前記コンピュータプログラムがコンピュータで実行すると、請求項１２乃至１４のいずれかに記載の方法を実行するためのプログラムコードを有するコンピュータプログラム。
【発明の詳細な説明】
【技術分野】
【０００１】
本発明は、無線通信システムの第１ネットワークノード及び第２ネットワークノードに関する。さらに、本発明は、対応する方法、無線通信システム、ユーザ装置、コンピュータプログラム、及びコンピュータプログラムプロダクトにも関する。
【背景技術】
【０００２】
より能力のある（スマートフォン、タブレット、等のような）装置の益々の普及に刺激されて、モバイルブロードバンドは、指数関数的成長を経験している。データ爆発の課題を効果的に取り扱うために、異種ネットワーク（Heterogeneous  Network、ＨｅｔＮｅｔ）配備が、主なネットワーク展開経路として出現している。このような配備の枠組みでは、低電力スモールセルがホットスポット領域において容量を引き上げることが予想され、同時に広域接続がマクロオーバレイにより提供される。特に、認可の免除された周波数帯でのスモールセル動作は、近年中に有意な勢いを獲得してきている。これは、新たな認可スペクトルの僅かな利用可能性により駆動され、ＩＥＥＥ８０２．１１無線ローカルエリアネットワーク（Wireless  Local  Area  Network、ＷＬＡＮ）を３ＧＰＰ  ３Ｇ／４Ｇネットワークを補完するためのコスト効率の良いソリューションにしている。この状況では、既存の大量配備されたＷＬＡＮインフラ及びユーザ機器（User  Equipment、ＵＥ）装置のＷＡＬＮへの高い浸透は、ＷＬＡＮにセルラトラフィックをオフロードする優れた機会を提供する。現在の装置は、通常、可能なときはいつもＷＬＡＮにブラインドアタッチすることにより割に単純なオフロード方式をサポートする。しかしながら、このようなメカニズムは、ＷＬＡＮへの切り換え後に、顕著なスループット低下をもたらす場合が多い。その理由は、（ダウンリンクで）ネットワークノード及び（アップリンクで）ユーザが送信チャネルを占有するために競わなければならないＷＬＡＮシステムの媒体アクセス制御（Medium  Access  Control、ＭＡＣ）特性に起因する。これは、ユーザ経験を損なうことなく日和見的にＷＬＡＮを利用する賢いオフロード方式の設計を本質的に要請する。
【０００３】
これらのＨｅｔＮｅｔの性能を発展させるために２つの新たな枠組みが近年現れている。つまり、リンクアグリゲーション（Link  Aggregation、ＬＡ）及び二重接続（Dual  Connectivity、ＤＣ）である。これらは、ユーザ装置が同時に動作可能な２つ（又はより多くの）無線をサポートするという事実を利用する。例えば、ユーザ装置は、（異なる周波数上の）２つのＬＴＥ無線を同時に、又はＬＴＥ及びＷｉＦｉを作動し得る。
【０００４】
リンクアグリゲーションでは、データパケットストリームは、分割され、同時に動作する２つのリンクを介して配信され得る。アグリゲートスループットは、各リンクのスループットの和である。
【０００５】
二重接続では、広域カバレッジ及びシグナリング接続を提供するアンカーノード（例えばＬＴＥ  ｅＮＢ）が存在し、一方で、範囲の定められたスモールセルはユーザへの高帯域幅ユーザプレーンリンクを提供する。異なる無線アクセス技術（Radio  Access  Technology、ＲＡＴ）の及び（未認可スペクトルを含む）異なるスペクトルを使用するスモールセルは、アンカーノードにアタッチされ得る。
【０００６】
３ＧＰＰリリース１２（Ｒ１２）で及び現在ではリリースＲ１３（Ｒ１３）では、これらの概念の異なる実現が標準化されており又はその最中である。Ｒ１２  ＬＴＥでは二重接続が導入され、Ｒ１３では認可及び未認可ＬＴＥキャリアを集約するために（ｉ）ＬＴＥ／ＷＬＡＮアグリゲーション（LTE/WLAN  Aggregation、ＬＷＡ）及び（ｉｉ）ライセンスアシステッドアクセス（License  Assisted  Access、ＬＡＡ）を標準化するための作業項目がある。
【発明の概要】
【０００７】
本発明の実施形態の目的は、従来のソリューションの欠点及び問題を軽減又は解決するソリューションを提供することである。
【０００８】
上述の目的及び更なる目的は、独立請求項の主題により達成される。本発明の更なる有利な実装形態は、従属請求項により定められる。
【０００９】
本発明の第１の態様によると、上述の及び他の目的は、第１ネットワークノードと第２ネットワークノードとを含む無線通信システムであって、
前記第２ネットワークノードは、ユーザ装置へのＲＲＣ接続を有するよう構成され、前記第２ネットワークノードは、
前記ユーザ装置宛のデータパケットを含むデータフローを受信するよう構成される通信機と、
プロセッサであって、
前記ユーザ装置宛の前記データフローの少なくとも１つの第１データパケットシーケンスを決定し、
前記第１ネットワークノードが少なくとも２つの無線チャネルを介して前記ユーザ装置と通信するよう構成されることを決定するよう構成される、プロセッサと、
を含み、
前記通信機は、
前記第１ネットワークノードが前記ユーザ装置との通信のために少なくとも２つの無線チャネルを有する場合、前記第１ネットワークノードへ前記第１データパケットシーケンスを送信するよう更に構成され、
前記第１ネットワークノードは、
前記第２ネットワークノードから前記第１データパケットシーケンスを受信するよう構成される通信機と、
前記第１データパケットシーケンスを少なくとも１つの第１データパケットサブシーケンス及び１つの第２データパケットサブシーケンスに分割するよう構成されるプロセッサと、
を含み、
前記通信機は、第１無線チャネルを介して第１周波数リソースセットの中で前記第１データパケットサブシーケンスを、及び第２無線チャネルを介して第２周波数リソースセットの中で前記第２データパケットサブシーケンスを、前記ユーザ装置へ送信するよう更に構成され、前記第１周波数リソースセット及び前記第２周波数リソースセットは重なり合わない、無線通信システムにより達成される。
【００１０】
第１の態様による無線通信システムにより多数の利点が提供される。
【００１１】
１つのこのような利点は、第１の態様による無線通信システムが、第２ネットワークノードがユーザ装置宛のデータフローを、第１ネットワークノードにより又は第２ネットワークノードによりユーザ装置へ配信されるべき複数のデータパケットシーケンスに分割することを可能にすることであり、それによりユーザ装置宛のデータトラフィックステアリングによる制御を向上する。
【００１２】
１つのこのような追加の利点は、第１ネットワークノードが、ユーザ装置宛のデータパケットシーケンスを、複数のデータパケットサブシーケンスに更に分割し、対応する無線状態に基づき各サブシーケンスを別個の無線チャネルを介して送信できることである。それにより、スペクトル効率が向上できる。追加の利点は、２つのデータサブストリームを２つの無線チャネルを介して同時に送信することにより、ユーザ装置によるピークデータレート経験が向上される。
【００１３】
さらに、第１の態様による無線通信システムは、第２ネットワークノードが、ユーザ装置宛のデータフローを、ユーザ装置への良好な接続により第１ネットワークノードによりユーザ装置に配信されるべき少なくとも１つのデータパケットシーケンスに分割することを可能にする。それにより、スペクトル効率を向上する。追加の利点は、第２ネットワークノードが、ユーザ装置により経験されるデータレートを向上するために、ユーザ装置宛のトラフィック負荷を制御し及びステアリングできることである。
【００１４】
本発明の第２の態様によると、上述の及び他の目的は、無線通信システムの第１ネットワークノードであって、前記第１ネットワークノードは、少なくとも２つの無線チャネルを介してユーザ装置と通信するよう構成され、
第２ネットワークノードから前記ユーザ装置宛のデータフローの第１データパケットシーケンスを受信するよう構成される通信機と、
前記第１データパケットシーケンスを少なくとも１つの第１データパケットサブシーケンス及び１つの第２データパケットサブシーケンスに分割するよう構成されるプロセッサと、
を含み、
前記通信機は、第１無線チャネルを介して第１周波数リソースセットの中で前記第１データパケットサブシーケンスを、及び第２無線チャネルを介して第２周波数リソースセットの中で前記第２データパケットサブシーケンスを、前記ユーザ装置へ送信するよう更に構成され、前記第１周波数リソースセット及び前記第２周波数リソースセットは重なり合わない、第１ネットワークノードにより達成される。
【００１５】
第１ネットワークノードは、２つの無線チャネルのうちの重なり合わない周波数リソースを含む２つの無線チャネルを介してユーザ装置と通信するよう構成される。これは、２つのデータサブストリームが、異なる無線チャネルを介して並列に又は同時にユーザ装置へ送信可能であることを意味する。用語、無線チャネルは、以後、例えば、周波数帯の中の周波数スペクトルの一部又は周波数成分搬送波を含む無線通信チャネルを示すために使用される。例えば、第１無線チャネルは、未認可周波数帯のチャネルであって良く、一方、第２無線チャネルは、認可スペクトル帯の周波数成分搬送波であって良い。さらに、用語、無線チャネルは、無線データリンクのような、ユーザ装置とネットワークノードとの間の無線接続に関連して使用されて良い。
【００１６】
ユーザ装置宛のデータフローは、ユーザ装置へのデータパケットシーケンスである。１つの例示的な例では、データフローは、ユーザ装置宛の無線ベアラを表す。
【００１７】
第１の態様による第１ネットワークノードにより多数の利点が提供される。
【００１８】
１つのこのような利点は、第１ネットワークノードが、ユーザ装置宛のデータパケットシーケンスを、複数のデータパケットサブシーケンスに分割し、対応する無線状態に基づき異なる無線チャネルを介して個々のサブシーケンスを送信できることである。それにより、スペクトル効率が向上できる。追加の利点は、２つのデータサブストリームを２つの無線チャネルを介して同時に送信することにより、ユーザ装置によるピークデータレート経験が向上される。
【００１９】
第２の態様による第１ネットワークノードの第１の可能な実装形式では、データフローは、第２ネットワークノードへの無線リソース制御（Radio  Resource  Control、ＲＲＣ）接続を有するよう構成されたユーザ装置に宛てられる。
【００２０】
第１の可能な実装形式の利点は、これが、第１ネットワークノードからユーザ装置への２以上の無線チャネルを介する同時データ配信を可能にし、一方で、無線通信システムに渡るシームレスな移動性を可能にするために、第２ネットワークノードへのアンカーされた制御プレーン接続（ＲＲＣ接続）を維持することである。したがって、ユーザ移動性をサポートするための制御シグナリングが削減される。
【００２１】
第２の態様の第１の可能な実装形式又は第２の態様による第１ネットワークノードの第２の可能な実装形式では、前記通信機は、前記第２ネットワークノードから少なくとも１つのＲＲＣ測定レポートを受信するよう更に構成され、前記ＲＲＣ測定レポートは、前記ユーザ装置と前記第１ネットワークノードとの間の少なくとも１つの無線チャネルに関連し、
前記プロセッサは、前記の受信したＲＲＣ測定レポートに基づき、前記第１データパケットシーケンスを分けるよう更に構成される。
【００２２】
第２の可能な実装形式の利点は、第１ネットワークノードが、データパケットシーケンスの少なくとも２つのサブシーケンスへの分割を、サブシーケンスの送信される無線チャネル状態に基づき最適化できることである。それにより、スペクトル効率が向上できる。さらに、第２ネットワークノードからのＲＲＣ測定レポートを受信することにより、第１ネットワークノードとユーザ装置との間の追加シグナリングオーバヘッドが回避される。
【００２３】
第２の態様の第２の可能な実装形式に従う第１ネットワークノードの第３の可能な実装形式では、少なくとも１つの無線チャネルは、未認可帯の周波数リソースを含み、ＲＲＣ測定レポートは、ＷＬＡＮ測定、未認可ＬＴＥ測定、及びＬＴＥ測定のうちの少なくとも１つを含む。
【００２４】
第３の可能な実装形式の利点は、未認可及び認可周波数帯の無線チャネルに関連する測定を報告するために、単一のＲＲＣ測定レポートが、第２ネットワークノードと第１ネットワークノードとの間で交換され得ることである。追加で、これは、無線通信システムに渡るシームレスな移動性を可能にするために第２ネットワークノードへのアンカーされた制御プレーン接続を維持しながら、２以上の無線チャネルを介して第２ネットワークノードからユーザ装置へデータパケットを同時に送信することを可能にする。したがって、ユーザ移動性をサポートするための制御シグナリングが削減される。
【００２５】
第２の態様の前述の可能な実装形式のうちのいずれかに従い、第１ネットワークノードの第４の可能な実装形式では、前記第１データパケットシーケンスは、前記データフローの全部のデータパケットのうちの一部である。
【００２６】
データフローの全部のデータパケットのうちの部分により、第１データパケットシーケンスは、ユーザ装置宛のデータフローの幾つかのデータパケットを含むことを意味する。
【００２７】
第４の可能な実装形式の利点は、ユーザ装置宛のデータフローの一部が第１ネットワークノードにより配信可能であり、一方でデータフローの残りの部分が第２ネットワークノードにより配信可能であることである。これは、第１及び第２ネットワークノードの両者からの２以上の無線チャネルを介して、ユーザ装置へデータパケットを同時送信することを可能にし、それによりスペクトル効率を向上する。
【００２８】
第２の態様の前述の可能な実装形式のいずれかに従い、第１ネットワークノードの第５の可能な実装形式では、前記通信機は、（閾値より大きい又は小さい遅延を有する）バックホールリンクを介して前記第１データパケットシーケンスを受信するよう更に構成される。
【００２９】
バックホールリンクは、無線及び銅線（ＤＳＬ、ケーブル）が使用され得る又はネットワークノード間の遅延を低減するためにファイバのような、ネットワークノード・バックホール技術間の通信リンクである。無線チャネルは、ネットワークノード間の通信のためのバックホールリンクを提供するためにも使用できる。バックホールリンクは、遅延、及び更に別の実装形式では通信標準で定められ得る閾値より大きい又は小さい遅延を有する。例えば、遅延が閾より大きい場合、第１ネットワークノード及び第２ネットワークノードは共同設置であると考えられない。他方で、遅延が閾より小さい場合、第１ネットワークノード及び第２ネットワークノードは共同設置であると考えられる。
【００３０】
第５の可能な実装形式の利点は、ユーザ装置宛のデータパケットシーケンスが、制御される遅延を有する第１ネットワークノードにより受信可能にされることである。
【００３１】
第２の態様の前述の可能な実装形式のいずれかに従い、第１のネットワークノードの第６の可能な実装形式では、前記通信機は、前記第１データパケットサブシーケンス及び前記第２データパケットサブシーケンスをそれぞれ前記第１無線チャネル及び前記第２無線チャネルを介して同時に送信するよう更に構成され、前記第１ネットワークノードは、前記ユーザ装置宛のデータパケットシーケンスを複数のデータパケットサブシーケンスに分割し、対応する無線条件に基づき個々のサブシーケンスを異なる無線チャネルを介して送信できる。それにより、スペクトル効率が向上できる。追加の利点は、２つのデータサブストリームを２つの無線チャネルを介して同時に送信することにより、ユーザ装置によるピークデータレート経験が向上される。
【００３２】
第２の態様の前述の可能な実装形式のいずれかに従い、第１ネットワークノードの第７の可能な実装形式では、前記第１データパケットシーケンスの前記分割は、前記第１データパケットシーケンスの全部のデータパケットを前記第１データパケットサブシーケンス又は前記第２データパケットサブシーケンスのいずれかに分割することを含む。
【００３３】
第７の可能な実装形式の利点は、第１ネットワークノードが、ユーザ装置宛のデータパケットシーケンスを、複数のデータパケットサブシーケンスに分割し、対応する無線状態に基づき異なる無線チャネルを介して個々のサブシーケンスを送信できることである。それにより、無線チャネルが粗悪なチャネル状態を経験するとき、スペクトル効率を向上するために、データパケットシーケンス全体が単一の無線チャネルを介して送信される。
【００３４】
第２の態様の前述の可能な実装形式のいずれかに従い、第１ネットワークノードの第８の可能な実装形式では、前記プロセッサは、パケットデータコンバージェンスプロトコルを用いて前記第１データパケットシーケンスを分割するよう更に構成される。
【００３５】
第８の可能な実装形式の利点は、ユーザ装置宛のデータパケットフローが、第１ネットワークノード及び第２ネットワークノードの間で効率的にステアリング可能であることである。
【００３６】
第２の態様の前述の可能な実装形式のいずれかに従い、第１ネットワークノードの第９の可能な実装形式では、前記第１データパケットサブシーケンスは、前記第１無線チャネルを介して第１無線アクセス技術（Radio  Access  Technology、ＲＡＴ）を用いて送信するよう構成され、前記第２データパケットサブシーケンスは、前記第２無線チャネルを介して第２ＲＡＴを用いて送信されるよう構成される。
【００３７】
第９の可能な実装形式の利点は、それが、異なるＲＡＴを介してデータパケットシーケンスを送信することを可能にすることである。それにより、ＲＡＴダイバーシチを利用してスペクトル効率を向上する。
【００３８】
第２の態様の第９の可能な実装形式に従い、第１ネットワークノードの第１０の可能な実装形式では、前記第１ＲＡＴは認可スペクトル帯で動作し、前記第２ＲＡＴは未認可スペクトル帯で動作し、又はその逆である。
【００３９】
第１０の可能な実装形式の利点は、それが、異なるＲＡＴ及び種類のスペクトル帯を介してデータパケットシーケンスを送信することを可能にすることである。それにより、ＲＡＴ及びスペクトルダイバーシチを利用してスペクトル効率を更に向上する。
【００４０】
第２の態様の第１０の可能な実装形式に従い、第１ネットワークノードの第１１の可能な実装形式では、第１ＲＡＴは３ＧＰＰ  ＲＡＴであり、第２ＲＡＴは無線ローカルエリアネットワーク（Wireless  Local  Area  Network、ＷＬＡＮ）であり、又はその逆である。
【００４１】
第１１の可能な実装形式の利点は、それが、３ＧＰＰ  ＲＡＴと無線ローカルエリアネットワーク（Wireless  Local  Area  Network、ＷＬＡＮ）ＲＡＴとの間の密な相互作用を可能にすることであり、それによりユーザ装置に適用されるサービスを向上する。本実装形式の追加の利点は、それが、３ＧＰＰ  ＲＡＴがＷＬＡＮ  ＲＡＴの送信を制御及び調整することを可能にすることであり、それによりユーザ装置に提供されるデータレートを向上する。
【００４２】
第２の態様の第１１の可能な実装形式に従い、第１のネットワークノードの第１２の可能な実装形式では、ＷＬＡＮのみを使用する前記無線チャネルは、ダウンリンク・ユーザプレーンデータを伝達する。
【００４３】
第１２の可能な実装形式の利点は、それが、ＷＬＡＮを用いる無線チャネルにアクセスするための競合を低減することであり、それによりスペクトル効率を向上する。
【００４４】
本発明の第３の態様によると、上述の及び他の目的は、無線通信システムの第２ネットワークノードであって、前記第２ネットワークノードは、ユーザ装置へのＲＲＣ接続を有するよう構成され、
前記ユーザ装置宛のデータパケットを含むデータフローを受信するよう構成される通信機と、
プロセッサであって、
前記ユーザ装置宛の前記データフローの少なくとも１つの第１データパケットシーケンスを決定し、
少なくとも２つの無線チャネルを介して前記ユーザ装置と通信するよう構成された少なくとも１つの第１ネットワークノードを決定するよう構成される、プロセッサと、
を含み、
前記通信機は、前記第１ネットワークノードが前記ユーザ装置との通信のために少なくとも２つの無線チャネルを有する場合、前記第１ネットワークノードへ前記第１データパケットシーケンスを送信するよう更に構成される、第２ネットワークノードにより達成される。
【００４５】
第３の態様による第２ネットワークノードにより多数の利点が提供される。
【００４６】
第３の態様の利点は、それが、第２ネットワークノードが、ユーザ装置宛のデータフローを、ユーザ装置への良好な接続により第１ネットワークノードによりユーザ装置に配信されるべき少なくとも１つのデータパケットシーケンスに分割することを可能にすることであり、それにより、スペクトル効率を向上する。追加の利点は、第２ネットワークノードが、ユーザ装置により経験されるデータレートを向上するために、ユーザ装置宛のトラフィック負荷を制御し及びステアリングできることである。
【００４７】
第３の態様に従い、第２ネットワークノードの第１の可能な実装形式では、前記プロセッサは、前記ユーザ装置宛の前記データフローの少なくとも１つの第２データパケットシーケンスを決定するよう更に構成され、
前記通信機は、第３無線チャネルを介して第３周波数リソースセットの中で、前記ユーザ装置へ前記第２データパケットシーケンスを送信するよう更に構成される。
【００４８】
第１の可能な実装形式の利点は、それが、第２ネットワークノードが、ユーザ装置宛のデータフローを、第１ネットワークノードにより又は第２ネットワークノードによりユーザ装置に配信されるべき複数のデータパケットシーケンスに分割することを可能にすることである。それにより、第２ネットワークノードが、ユーザ装置により経験されるデータレートを向上するために、ユーザ装置宛のトラフィック負荷を複数の接続の間で制御し及びステアリングすることを可能にする。特に、少なくとも３つの接続が決定され、ユーザ装置により（１つは第２ネットワークノードと、２つは第１ネットワークノードと）維持される。それにより、本実装形式は、第１ネットワークノード、第２ネットワークノード、又は両者からの２以上の無線チャネルを介して、ユーザ装置へデータパケットを同時送信することを可能にし、それによりスペクトル効率を向上する。
【００４９】
第３の態様の第１の可能な実装形式又は第３の態様による第２ネットワークノードの第２の可能な実装形式では、前記通信機は、前記ユーザ装置から少なくとも１つのＲＲＣ測定レポートを受信するよう更に構成され、前記ＲＲＣ測定レポートは、前記ユーザ装置と前記第１ネットワークノードとの間の少なくとも１つの無線チャネルに関連し、ＲＲＣ測定レポートを前記第１ネットワークノードに転送するよう更に構成される。
【００５０】
第２の可能な実装形式の１つの代替では、前記ＲＲＣ測定レポートは、バックホールリンクを介して前記第１ネットワークノードへ送信される。
【００５１】
第２の可能な実装形式の利点は、これが、第１及び第２ネットワークノードからユーザ装置への２以上の無線チャネルを介してデータパケットを同時送信することを可能にし、一方で、無線通信システムに渡るシームレスな移動性を可能にするために、第２ネットワークノードへのアンカーされた制御プレーン接続を維持することである。したがって、ユーザ移動性をサポートするための制御シグナリングが削減される。
【００５２】
第３の態様の第１又は第２の可能な実装形式又は第３の態様に従い、第２ネットワークノードの第３の可能な実装形式では、前記通信機は、第１無線チャネルを介して又は第２無線チャネルを介して、前記第１ネットワークノードからの第１データパケットシーケンスを監視し及び受信するよう、前記ユーザ装置へ命令を送信するよう更に構成される。
【００５３】
第３の可能な実装形式の利点は、これが、第２ネットワークノードへのアンカーされた制御プレーン接続を維持すると同時に、通信システムに渡るシーケンスな移動性を可能にするために、データが第１ネットワークノードから受信されることを可能にすることである。したがって、ユーザ装置が第１ネットワークノード及び第２ネットワークノードからデータプレーンを受信するとき、ユーザ移動性をサポートするための制御シグナリングが低減される。
【００５４】
第３の態様の前述の可能な実装形式又は第３の態様のいずれかに従い、第２ネットワークノードの第４の可能な実装形式では、前記通信機は、閾値より大きい又は小さい遅延を有するバックホールリンクを介して前記第１データパケットシーケンスを送信するよう更に構成される。
【００５５】
第４の可能な実装形式の利点は、それが、ユーザ装置宛のデータパケットシーケンスが、制御される遅延を有する第１ネットワークノードにより受信可能にすることである。
【００５６】
本発明の第４の態様によると、上述の及び他の目的は、無線通信システムのユーザ装置であって、前記ユーザ装置は通信機を含み、該通信機は、
第２ネットワークノードへのＲＲＣ接続を維持し、
第１ネットワークノードから前記ユーザ装置宛のデータフローの第１データパケットシーケンスの少なくとも１つの第１データパケットサブシーケンス及び１つの第２データパケットサブシーケンスを受信し、前記第１データパケットサブシーケンスは第１無線チャネルを介して第１周波数リソースセットの中で受信され、前記第２データパケットサブシーケンスは第２無線チャネルを介して少なくとも１つの第２周波数リソースセットの中で受信され、前記第１周波数リソースセット及び前記第２周波数リソースセットは重なり合わない、よう構成される、ユーザ装置により達成される。
【００５７】
第４の態様に従い、ユーザ装置の第１の可能な実装形式では、前記通信機は、
第３無線チャネルを介して第３周波数リソースセットの中で前記第２ネットワークノードから前記データフローの第２データパケットシーケンスを受信し、前記第３周波数リソースセットは前記第１周波数リソースセット及び前記第２周波数リソースセットと重なり合わない、よう更に構成される。
【００５８】
第４の態様の第１の可能な実装形式又は第１の態様に従い、ユーザ装置の第２の可能な実装形式では、前記通信機は、前記第１無線チャネル及び前記第２無線チャネルのいずれかについて、無線チャネル測定を実行するよう更に構成され、
前記ユーザ装置は、前記無線チャネル測定に基づき少なくとも１つのＲＲＣ測定レポートを決定するよう構成されたプロセッサを更に含み、
前記通信機は、前記ＲＲＣ測定レポートを前記第２ネットワークノードへ送信するよう更に構成される。
【００５９】
本発明の第５の態様によると、上述の及び他の目的は、無線通信システムの方法であって、前記無線通信システムは、少なくとも２つの無線チャネルを介してユーザ装置と通信するよう構成される第１ネットワークノードと、前記ユーザ装置へのＲＲＣ接続を有する第２ネットワークノードと、を含み、前記方法は、
前記第２ネットワークノードにより、前記ユーザ装置宛のデータパケットを含むデータフローを受信するステップと、
前記第２ネットワークノードにより、前記ユーザ装置宛の前記データフローの少なくとも１つの第１データパケットシーケンスを決定するステップと、
少なくとも２つの無線チャネルを介して前記ユーザ装置と通信するよう構成され、
前記第２ネットワークノードにより、前記第１ネットワークノードが前記ユーザ装置と通信するために少なくとも２つの無線チャネルを有する場合、前記第１ネットワークノードへ前記第１データパケットシーケンスを送信するステップと、
前記第１ネットワークノードにより、前記第２ネットワークノードから前記第１データパケットシーケンスを受信するステップと、
前記第１ネットワークノードにより、前記第１データパケットシーケンスを少なくとも１つの第１データパケットサブシーケンス及び第２データパケットサブシーケンスに分割するステップと、
前記第１ネットワークノードにより、第１無線チャネルを介して第１周波数リソースセットの中で第１データパケットサブシーケンスを、及び第２無線チャネルを介して第２周波数リソースセットの中で第２データパケットサブシーケンスを、前記ユーザ装置へ送信するステップであって、前記第１周波数リソースセット及び前記第２周波数リソースセットは重なり合わない、ステップと、を含む方法により達成される。
【００６０】
少なくとも２つの無線チャネルを介してユーザ装置と通信するよう構成され、前記方法は、
第２ネットワークノードから前記ユーザ装置宛のデータフローの第１データパケットシーケンスを受信するステップと、
前記第１データパケットシーケンスを少なくとも１つの第１データパケットサブシーケンス及び１つの第２データパケットサブシーケンスに分割するステップと、
第１無線チャネルを介して第１周波数リソースセットの中で前記第１データパケットサブシーケンスを、及び第２無線チャネルを介して第２周波数リソースセットの中で前記第２データパケットサブシーケンスを、前記ユーザ装置へ送信するステップであって、前記第１周波数リソースセット及び前記第２周波数リソースセットは重なり合わない、ステップと、を含む。
【００６１】
第６の態様に従い、方法の第１の可能な実装形式では、データフローは、第２ネットワークノードへの無線リソース制御（Radio  Resource  Control、ＲＲＣ）接続を有するよう構成されたユーザ装置に宛てられる。
【００６２】
第６の態様の第１の可能な実装形式又は第６の態様による方法の第２の可能な実装形式では、前記方法は、
前記第２ネットワークノードから少なくとも１つのＲＲＣ測定レポートを受信するステップであって、前記ＲＲＣ測定レポートは、前記ユーザ装置と前記第１ネットワークノードとの間の少なくとも１つの無線チャネルに関連する、ステップと、
前記の受信したＲＲＣ測定レポートに基づき、前記第１データパケットシーケンスを分割するステップと、を更に含む。
【００６３】
第６の態様の第２の可能な実装形式に従う方法の第３の可能な実装形式では、少なくとも１つの無線チャネルは未認可帯の周波数リソースを含み、ＲＲＣ測定レポートは、ＷＬＡＮ測定、未認可ＬＴＥ測定、及びＬＴＥ測定のうちの少なくとも１つを含む。
【００６４】
第６の態様の前述の可能な実装形式のうちのいずれかに従い、方法の第４の可能な実装形式では、前記第１データパケットシーケンスは、前記データフローの全部のデータパケットのうちの一部である。
【００６５】
第６の態様の前述の可能な実装形式のいずれかに従い、方法の第５の可能な実装形式では、前記方法は、（閾値より大きい又は小さい遅延を有する）バックホールリンクを介して前記第１データパケットシーケンスを受信するステップを更に含む。
【００６６】
第６の態様の前述の可能な実装形式のいずれかに従い、方法の第６の可能な実装形式では、前記方法は、
前記第１データパケットサブシーケンス及び前記第２データパケットサブシーケンスをそれぞれ前記第１無線チャネル及び前記第２無線チャネルで同時に送信するステップ、を更に含む。
【００６７】
第６の態様の前述の可能な実装形式のいずれかに従い、方法の第７の可能な実装形式では、前記第１データパケットシーケンスを分割する前記ステップは、前記第１データパケットシーケンスの全部のデータパケットを前記第１データパケットサブシーケンス又は前記第２データパケットサブシーケンスのいずれかに分割するステップを含む。
【００６８】
第６の態様の前述の可能な実装形式のいずれかに従い、方法の第８の可能な実装形式では、前記方法は、パケットデータコンバージェンスプロトコルを用いて前記第１データパケットシーケンスを分割するステップを更に含む。
【００６９】
第６の態様の前述の可能な実装形式のいずれかに従い、方法の第９の可能な実装形式では、前記第１データパケットサブシーケンスは、前記第１無線チャネルを介して第１無線アクセス技術（Radio  Access  Technology、ＲＡＴ）を用いて送信され、前記第２データパケットサブシーケンスは、前記第２無線チャネルを介して第２ＲＡＴを用いて送信される。
【００７０】
第６の態様の第９の可能な実装形式に従い、方法の第１０の可能な実装形式では、前記第１ＲＡＴは認可スペクトル帯で動作し、前記第２ＲＡＴは未認可スペクトル帯で動作し、又はその逆である。
【００７１】
第６の態様の第１０の可能な実装形式に従い、方法の第１１の可能な実装形式では、前記第１ＲＡＴは３ＧＰＰ  ＲＡＴであり、前記第２ＲＡＴは無線ローカルエリアネットワーク（Wireless  Local  Area  Network、ＷＬＡＮ）であり、又はその逆である。
【００７２】
第６の態様の第１１の可能な実装形式に従い、方法の第１２の可能な実装形式では、ＷＬＡＮのみを使用する前記無線チャネルは、ダウンリンク・ユーザプレーンデータを伝達する。
【００７３】
本発明の第７の態様では、上述の及び他の目的は、ユーザ装置へのＲＲＣ接続を有する第２ネットワークノードの方法であって、前記方法は、
前記ユーザ装置宛のデータパケットを含むデータフローを受信するステップと、
前記ユーザ装置宛の前記データフローの少なくとも１つの第１データパケットシーケンスを決定するステップと、
少なくとも２つの無線チャネルを介して前記ユーザ装置と通信するよう構成された少なくとも１つの第１ネットワークノードを決定するステップと、
前記ユーザ装置との通信のためのチャネル、を含む方法により達成される。
【００７４】
第７の態様に従い、方法の第１の可能な実装形式では、前記方法は、
前記ユーザ装置宛の前記データフローの少なくとも１つの第２データパケットシーケンスを決定するステップと、
第３無線チャネルを介して第３周波数リソースセットの中で、前記ユーザ装置へ前記第２データパケットシーケンスを送信するステップと、を更に含む。
【００７５】
第７の態様の第１の可能な実装形式又は第７の態様に従い、方法の第２の可能な実装形式では、前記方法は、
前記ユーザ装置から少なくとも１つのＲＲＣ測定レポートを受信するステップであって、前記ＲＲＣ測定レポートは、前記ユーザ装置と前記第１ネットワークノードとの間の少なくとも１つの無線チャネルに関連する、ステップと、
ＲＲＣ測定レポートを前記第１ネットワークノードに転送するステップと、を更に含む。
【００７６】
第７の態様の第１又は第２の可能な実装形式又は第７の態様に従い、方法の第３の可能な実装形式では、前記方法は、
第１無線チャネルを介して又は第２無線チャネルを介して、前記第１ネットワークノードからの第１データパケットシーケンスを監視し及び受信するよう、前記ユーザ装置へ命令を送信するステップ、を更に含む。
【００７７】
第７の態様の前述の可能な実装形式又は第７の態様のいずれかに従い、方法の第４の可能な実装形式では、前記方法は、閾値より大きい又は小さい遅延を有するバックホールリンクを介して前記第１データパケットシーケンスを送信するステップを更に含む。
【００７８】
本発明の第８の態様によると、上述の及び他の目的は、ユーザ装置の方法であって、前記方法は、
第２ネットワークノードへのＲＲＣ接続を維持するステップと、
第１ネットワークノードから前記ユーザ装置宛のデータフローの第１データパケットシーケンスの少なくとも１つの第１データパケットサブシーケンス及び１つの第２データパケットサブシーケンスを受信するステップであって、前記第１データパケットサブシーケンスは第１無線チャネルを介して第１周波数リソースセットの中で受信され、前記第２データパケットサブシーケンスは第２無線チャネルを介して少なくとも１つの第２周波数リソースセットの中で受信され、前記第１周波数リソースセット及び前記第２周波数リソースセットは重なり合わない、ステップ、を含む方法により達成される。
【００７９】
第４の態様に従い、方法の第１の可能な実装形式では、前記方法は、
第３無線チャネルを介して第３周波数リソースセットの中で前記第２ネットワークノードから前記データフローの第２データパケットシーケンスを受信するステップであって、前記第３周波数リソースセットは前記第１周波数リソースセット及び前記第２周波数リソースセットと重なり合わない、ステップを更に含む。
【００８０】
第４の態様の第１の可能な実装形式又は第１の態様に従い、方法の第２の可能な実装形式では、前記方法は、
前記第１無線チャネル及び前記第２無線チャネルのいずれかについて、無線チャネル測定を実行するステップと、
前記無線チャネル測定に基づき少なくとも１つのＲＲＣ測定レポートを決定するステップと、
前記ＲＲＣ測定レポートを前記第２ネットワークノードへ送信するステップと、を更に含む。
【００８１】
第５乃至第８の態様のいずれかによる方法の利点は、対応するネットワークノード、ユーザ装置、及び無線通信システムと同じである。
【００８２】
本発明の実施形態は、処理手段により実行されると該処理手段に本発明によるいずれかの方法を実行させるコード手段により特徴付けられるコンピュータプログラムにも関連する。さらに、本発明は、コンピュータ可読媒体及び上述のコンピュータプログラムを含むコンピュータプログラムプロダクトであって、該コンピュータプログラムは前記コンピュータ可読媒体に含まれ、読み出し専用メモリ（Read−Only  Memory、ＲＯＭ）、プログラマブルＲＯＭ（Programmable  ROM、ＰＲＯＭ）、消去可能ＰＲＯＭ（Erasable  PROM、ＥＰＲＯＭ）、フラッシュメモリ、電気的ＥＰＲＯＭ（Electrically  EPROM、ＥＥＰＲＯＭ）、及びハードディスクを含むグループからの１又は複数を有する、コンピュータプログラムプロダクトにも関連する。
【００８３】
本発明の更なる用途及び利点は、以下の詳細な説明から明らかである。
【図面の簡単な説明】
【００８４】
以下の添付の図面は、本発明の異なる実施形態を明確化し説明することを目的とする。
【図１】本発明の一実施形態による第１ネットワークノードを示す。
【図２】本発明の一実施形態による方法を示す。
【図３】本発明の一実施形態による第２ネットワークノードを示す。
【図４】本発明の一実施形態による別の方法を示す。
【図５】本発明の一実施形態による無線通信システムを示す。
【図６】本発明の一実施形態による別の方法を示す。
【図７】本発明の更なる実施形態による無線通信システムを示す。
【図８】本発明の更に別の実施形態を示す。<
【図９】本発明の更に別の実施形態を示す。<
【図１０】本発明の更に別の実施形態を示す。<
【図１１】本発明の更に別の実施形態を示す。<
【図１２】本発明の更に別の実施形態を示す。<
【図１３】本発明の更に別の実施形態を示す。<
【図１４】本発明の更に別の実施形態を示す。<
【発明を実施するための形態】
【００８５】
ＬＴＥ  ＤＣでは、ＵＥは、１つは（周波数ｆ１で動作する）マクロｅＮＢへの及び１つは（ｆ２の）ピコｅＮＢへの、２つのダウンリンク無線リンクを維持する。それにより、２つのダウンリンク無線リンクは、言い換えると、異なる周波数で動作する２つの無線チャネルを介して維持される。ｅＮＢは、パケット送信が数十ミリ秒の遅延を招くことを意味する非理想的なバックホールにより互いに接続される。制御シグナリングは、マクロｅＮＢへのみ送信される。これは、ＵＥが、レイヤ３ＲＲＣハンドオーバイベントを受けずに、ＬＴＥマクロのカバレッジ下を移動できることを意味する。ＵＥのアップリンクユーザプレーンは、マクロリンク又はピコリンクのいずれかで送信され、一方、ダウンリンクユーザプレーンは、分割される及び両方のリンクを使用する（リンクアグリゲーション）追加オプションを有する。ダウンリンクユーザプレーン・ベアラ分割は、ＰＤＣＰパケットデータユニット（Packet  Data  Unit、ＰＤＵ）がマクロから送信され又はＸ２インタフェースを介してピコへ転送されるように、パケットデータコンバージェンスプロトコル（Packet  Data  Convergence  Protocol、ＰＤＣＰ）プロトコルレイヤで生じる。ピコｅＮＢは、ＰＤＣＰ  ＰＤＵを待ち行列に入れ、いつそれらの送信をスケジューリングすべきかを決定する。ＰＤＣＰ  ＰＤＵはＵＥにおいて順序が狂って到着し得るので、ＰＤＣＰレイヤは並べ換え機能を含む。３ＧＰＰ用語では、ユーザのＲＲＣをアンカーするｅＮＢは、ＭｅＮＢ（マスタｅＮＢ、ＬＴＥ  ＤＣ  ＵＥの我々の例ではマクロ）と称され、他のｅＮＢはＳｅＮＢ（セカンダリｅＮＢ、ピコｅＮＢ）と称される。
【００８６】
ＬＴＥ／ＷＬＡＮ相互作用では、Ｒｅｌ−１２仕様は、ＬＴＥ／ＷＬＡＮトラフィックステアリングのためにアクセスネットワーク選択（Access  Network  Selection、ＡＮＳ）を導入した。ＵＥのオフロード決定は、セルラネットワークにより提供される支援パラメータに基づき行われる。この場合、信号強度／品質、負荷、等に関する決定閾は、ＷＬＡＮから又はそれへトラフィックをステアリングするために満たされるべき条件を決定する。追加の統合拡張は、ＬＴＥ  Ｒｅｌ−１３における標準化のために現在検討されている。これらは、完全にネットワークにより制御されるＬＴＥ／ＷＬＡＮトラフィックステアリング（ＬＴＥ  ＷＬＡＮ相互作用、LTE  WLAN  Interworking、ＬＷＩとしても知られる）、又はＵＥがＬＴＥとＷＬＡＮとの両方から同時にデータを受信できるようにするダウンリンクＬＴＥ−ＷＬＡＮアグリゲーション（LTE−WLAN  Aggregation、ＬＷＡ）さえも含む。ＬＷＡ設計は、ＬＴＥ  ＤＣから多くの特長をくみ出している。ダウンリンクＷｉＦｉの能力を向上するために、アップリンクＷｉＦｉ  ＭＡＣ制御フレームはＬＴＥを介して送信され（ＲＲＣプロトコルによりカプセル化される）、アップリンクユーザプレーンはＷｉＦｉにマッピングされない。
【００８７】
さらに、ＬＷＡは、２つのアーキテクチャ、つまり共同設置及び非共同設置により標準化されている。ＬＷＡ非共同設置アーキテクチャでは、ＬＴＥ  ｅＮＢ及びＷｉＦｉノード（これは例えばアクセスポイント（Access  Point、ＡＰ）又はＡＰ制御部であり得る）は、非理想的バックホールにより接続される。ＵＥは、ＲＲＣ接続モードで保持される。バックホールにより、ＷＬＡＮ負荷状態がＬＴＥネットワークに報告でき、一方で、両方のＲＡＴ（ＷＡＬＮ及びＬＴＥ）についてＵＥにより実行された物理層測定が常時ＲＲＣ接続を用いてアップリンクで送信される。このような測定を利用して、ＬＴＥ基地局は、ＷＬＡＮオフロード先ＵＥ候補を選択し、それらに関連するステアリングコマンドをＲＲＣシグナリングを介して送信できる。ＵＥのユーザプレーンはＷＡＬＮ単独により供されることも可能であることに言及する価値がある。これは、ＬＴＥ−ＷＬＡＮ相互作用（LTE−WLAN  interworking、ＬＷＩ）である。ＬＷＡでは、ＵＥは、両方のＲＡＴからの同時ダウンリンクデータ受信の可能なＷＬＡＮセカンダリセル（Secondary  Cell、ＳＣｅｌｌ）により構成可能である。手順は依然としてネットワークにより制御されるが、ＬＷＩと比べて異なるシグナリングを含む。ユーザデータプレーンは、ＬＴＥノードのＰＤＣＰレイヤにおいて分割され、各ＲＡＴを介して転送されるデータ量は、ＬＴＥ／ＷＬＡＮ無線状態、ネットワークノード負荷、フロー制御メッセージ、等に基づき導出できる。中でも、ＵＥが自身のＷＬＡＮ接続が失われた場合でもＵＥがＬＴＥリンク上で依然としてデータを受信できるので、ＬＷＡはより安定したデータ接続を提供する。他方で、これは、ＵＥが基本的に両方のリンクからのデータを処理しなければならないので、ＵＥ電力消費を増大する。
【００８８】
ＬＷＡ共同設置アーキテクチャでは、ｅＮＢ及びＷＬＡＮ装置（例えば、ＡＰ）は、同じボックス内に実装され、又は１ｍｓより遙かに短い待ち時間を意味する理想的なバックホール接続、例えばファイバリンクによりリンクされる。ＲＲＣ制御接続は、共同設置ｅＮＢにおいて終端される。これは、共同設置装置がスモールセルノードであり、マクロセルから生成されたオーバレイネットワークが存在する場合に、真である。データパケットの分割は、ＰＤＣＰ  ＰＤＵを１つのリンクで下方へ又は他方へ送信することを決定する所謂ＰＤＣＰスケジューラにより決定される。共同設置では、ピコ及びＡＰ共同スケジューリング又は協調／結合スケジューリングは、セルの負荷及びユーザの無線状態の変動を利用することにより、有意な性能利得を与えることができる。例えば、ピコ負荷が瞬間的に下落すると、ＰＤＣＰ  ＰＤＵは、ＷｉＦｉを介するのに加えて、ピコ無線インタフェースを介して送信され得る。例えば、ＵＥが未認可帯における突然の干渉に苦しむ場合、そのトラフィックはピコセルへルーティングされ得る。この共同スケジューリングをサポートするために、ＬＷＡユーザについてピコ及びＡＰの両方での（経路損、干渉レベルのような）無線状態を知ることが重要である。望ましくはアップリンク管理情報（又はユーザプレーンデータ）を伝達すべきＷＬＡＮアップリンクが存在しないので、この情報は、ＲＲＣシグナリングを用いて得られ、ＲＲＣが終端されるのでピコセルに向けられる。
【００８９】
図１は、本発明の一実施形態による第１ネットワークノード１００を示す。第１ネットワークノード１００は、本例示的実施形態では、通信手段１０８により通信機１０２に通信可能に結合されるプロセッサ１０４を含む。図１で、通信手段１０８は、プロセッサ１０４と通信機１０２との間に点線矢印として示される。通信手段１０８は、従来良く知られている技術に従い、例えばプロセッサ１０４と通信機１０２との間のデータ転送又は制御シグナリングのために使用されて良い。この特定の実施形態における第１ネットワークノード１００は、制御手段１１０を更に含む。制御手段１１０により、プロセッサ１０４は通信機１０２を作動させる（又は制御する）。制御手段１１０は、プロセッサ１０４から通信機１０２への黒い矢印により示される。第１ネットワークノード１００は、無線通信システム７００における送信及び受信のために通信機１０２に結合されたアンテナ手段１０６も含む。第１ネットワークノード１００は、任意で有線通信手段１１２も有して良い。有線通信手段１１２により、第１ネットワークノード１００は、他のネットワークノード又は他のネットワークエンティティと通信できる。有線通信手段１１２は、例えば無線通信システム７００のバックホールシステムの部分であって良い。
【００９０】
本発明のソリューションによると、第１ネットワークノード１００は、少なくとも２つの無線チャネルを介して無線通信システム７００のユーザ装置５００（例えば、図５及び７に示される）と通信するよう構成される。第１ネットワークノード１００の通信機１０２は、第２ネットワークノード３００から、ユーザ装置５００宛のデータフローの第１データパケットシーケンスＳ１を受信するよう構成される。第１データパケットシーケンスＳ１は、この特定の例では、有線通信手段１１２を介して受信される。しかしながら、第１データパケットシーケンスＳ１は、無線送信プロトコルにより第２ネットワークノード３００から受信されて良いことに留意する。
【００９１】
第１ネットワークノード１００のプロセッサ１０４は、第１データパケットシーケンスＳ１を、少なくとも１つの第１データパケットサブシーケンスＳ１１及び１つの第２データパケットサブシーケンスＳ１２に分割するよう構成される。通信機１０２は、第１無線チャネルＣ１１を介して第１周波数リソースセットの中で第１データパケットサブシーケンスＳ１１を、及び第２無線チャネルＣ１２を介して第２周波数リソースセットの中で第２データパケットサブシーケンスＳ１２を、ユーザ装置５００へ送信するよう更に構成される。第１周波数リソースセット及び第２周波数リソースセットは、重なり合わない。
【００９２】
図２は、図１に示されるもののような第１ネットワークノード１００内で実施され得る対応する方法を示す。方法２００は、第２ネットワークノード３００からデータフローの第１データパケットシーケンスＳ１を受信するステップ２０２を含む。方法２００は、第１データパケットシーケンスＳ１を、少なくとも１つの第１データパケットサブシーケンスＳ１１及び１つの第２データパケットサブシーケンスＳ１２に分割するステップ２０４を更に含む。方法２００は、第１無線チャネルＣ１１を介して第１周波数リソースセットの中で第１データパケットサブシーケンスＳ１１を、及び第２無線チャネルＣ１２を介して第２周波数リソースセットの中で第２データパケットサブシーケンスＳ１２を、送信するステップ２０６を更に含む。第１周波数リソースセット及び第２周波数リソースセットは、重なり合わない。
【００９３】
図３は、本発明の一実施形態による第２ネットワークノード３００を示す。第２ネットワークノード３００は、本例示的実施形態では、通信手段３０８により通信機３０２に通信可能に結合されるプロセッサ３０４を含む。図３で、通信手段３０８は、プロセッサ３０４と通信機３０２との間に点線矢印として示される。通信手段３０８は、従来良く知られている技術に従う。通信手段３０８は、例えばプロセッサ３０４と通信機３０２との間のデータ転送又は制御シグナリングのために使用されて良い。この特定の実施形態における第２ネットワークノード３００は、制御手段３１０を更に含む。制御手段３１０により、プロセッサ３０４は通信機３０２を作動させる（又は制御する）。制御手段は、プロセッサ３０４から通信機３０２への黒い矢印により示される。第２ネットワークノード３００は、無線通信システム７００における送信のために通信機３０２に結合されたアンテナ手段３０６も含む。第２ネットワークノード３００は、任意で有線通信手段３１２も有して良い。有線通信手段３１２により、第２ネットワークノード３００は、他のネットワークノード又は他のネットワークエンティティと通信できる。有線通信手段３１２は、例えば無線通信システム７００のバックホールシステムの部分であって良い。
【００９４】
本発明のソリューションによると、第２ネットワークノード３００は、無線通信システム７００のユーザ装置５００（例えば、図５及び７に示される）へのＲＲＣ接続を有するよう構成される。第２ネットワークノード３００の通信機３０２は、ユーザ装置５００宛のデータパケットを含むデータフローＦを受信するよう構成される。この特定の例では、データフローＦは、例えばコアネットワークから、有線通信手段３１２を介して受信される。しかしながら、データフローＦは、無線通信プロトコル又はそれらの組合せを介して受信され得る。
【００９５】
第２ネットワークノード３００の通信機３０４は、ユーザ装置５００宛のデータフローＦの少なくとも１つの第１データパケットシーケンスＳ１を決定するよう構成される。プロセッサ３０４は、少なくとも２つの無線チャネルを介してユーザ装置５００と通信するよう構成された少なくとも１つの第１ネットワークノード１００を決定するよう更に構成される。第２ネットワークノード３００の通信機３０２は、第１ネットワークノード１００へ第１データパケットシーケンスＳ１を送信するよう更に構成される。第１データパケットシーケンスＳ１は、この特定の例では、有線送信手段３１２を介して第１ネットワークノード１００へ送信される。しかしながら、第１データパケットシーケンスＳ１は、無線送信プロトコルにより、第１ネットワークノード１００（図３に示されない）へ送信されても良いことに留意する。
【００９６】
図４は、図３に示されるもののような第２ネットワークノード３００内で実施され得る対応する方法を示す。方法４００は、ユーザ装置５００宛のデータパケットを含むデータフローＦを受信するステップ４０２を含む。方法４００は、ユーザ装置５００宛のデータフローＦの少なくとも１つの第１データパケットシーケンスＳ１を決定するステップ４０４を更に含む。方法４００は、少なくとも２つの無線チャネルを介してユーザ装置５００と通信する少なくとも１つの第１ネットワークノード１００を決定するステップ４０６を更に含む。方法４００は、第１ネットワークノード１００がユーザ装置５００への少なくとも２つの無線データリンクを有する場合、第１ネットワークノード１００へ第１データパケットシーケンスＳ１を送信するステップ４０８を更に含む。
【００９７】
本発明の一実施形態では、第２ネットワークノード３００は、１又は複数の無線チャネルを介してユーザ装置５００と通信するよう構成される。したがって、第２ネットワークノード３００は、ユーザ装置５００宛のデータフローＦの少なくとも１つの第２データパケットシーケンスＳ２を決定し、第１無線チャネルＣ１１又は第２無線チャネルＣ１２と同じではない第３無線チャネルを介して第３周波数リソースの中で、ユーザ装置５００へ第２データパケットシーケンスＳ２を送信するよう構成される。
【００９８】
図５は、本発明の一実施形態による無線通信システム７００を示す。無線通信システム７００は、少なくとも１つの第１ネットワークノード１００と、第１ネットワークノード１００との少なくとも１つの通信インタフェースを有する少なくとも１つの第２ネットワークノード３００と、を含む。第１ネットワークノード１００は、第２ネットワークノード３００から第１データパケットシーケンスＳ１を受信するよう構成される。Ｓ１の受信の後に、第１ネットワークノード１００は、第１データパケットシーケンスＳ１を、少なくとも１つの第１データパケットサブシーケンスＳ１１と、１つの第２データパケットサブシーケンスＳ１２に分割する。一方で、第２ネットワークノード３００は、ユーザ装置５００へのＲＲＣ接続を有し、第１ネットワークノード１００は、第１無線チャネルＣ１１を介して第１周波数リソースセットの中で第１データパケットサブシーケンスＳ１１を、及び第２無線チャネルＣ１２を介して第２周波数リソースセットの中で第２データパケットサブシーケンスＳ１２を、ユーザ装置５００へ送信する。前述のように、第１周波数リソースセット及び第２周波数リソースセットは、重なり合わない。したがって、本発明の一実施形態では、データフローＦはユーザ装置５００に宛てられ、ユーザ装置は第２ネットワークノード３００へのＲＲＣ接続を有するよう構成される。図５は、どのように、第２ネットワークノード３００がデータフローＦの第２データパケットシーケンスＳ２を第３無線チャネルＣ２１を介してユーザ装置へ送信するかを更に示す。ユーザ装置宛のデータフローＦは、例えばコアネットワーク（図５に示されない）から第２ネットワークノード３００へ送信されて良い。
【００９９】
図６は、図５に示されるもののような無線通信システム７００内で実施され得る対応する方法８００を示す。方法８００は、以上に説明され記載されたステップ４０２、４０４、４０６、４０８、２０２及び２０６を含む。
【０１００】
図７は、本発明の更なる実施形態による無線通信システム７００を示す。本実施形態では、第２ネットワークノード３００は、例えば適切なゲートウェイを介してインターネットに接続され得るコアネットワーク９００から、ユーザ装置５００宛のデータフローＦを受信する。本発明の一実施形態では、第１データパケットシーケンスＳ１は、データフローＦの全てのデータパケットのうちのほんの一部である。
【０１０１】
第２ネットワークノード３００は、第１データパケットシーケンスＳ１を決定し、第１データパケットシーケンスＳ１を図７に示すバックホールリンク７０２（有線又は無線又はそれらの組合せ）を介して第１ネットワークノード１００へ送信する。言及した第１シーケンスＳ１の分割の後に、第１ネットワークノード１００は、第１データパケットサブシーケンスＳ１１及び第２データパケットサブシーケンスＳ１２を、それぞれ無線チャネルＣ１１及びＣ１２を介して送信する。
【０１０２】
本発明の更に別の実施形態では、第１ネットワークノード１００の通信機１０２は、第２ネットワークノード３００から少なくとも１つのＲＲＣ測定レポート（Measurement  Report、ＭＰ）を受信するよう構成される。ＲＲＣ測定レポートは、ユーザ装置５００と第１ネットワークノード１００との間の少なくとも１つの無線チャネルに関連する。第１ネットワークノード１００のプロセッサ１０４は、受信したＲＲＣ測定レポートに基づき、第１データパケットシーケンスＳ１を分割するよう構成される。１つの例示的な場合には、第１データパケットシーケンスＳ１は、受信したＲＲＣ測定レポートに含まれるような、第１ネットワークノード１００とユーザ装置５００との間の２つの無線チャネルのうちの少なくとも１つに関連するチャネル状態情報に基づき、少なくとも１つの第１データパケットサブシーケンスＳ１１及び１つの第２データパケットサブシーケンスＳ１２に分割される。
【０１０３】
したがって、第２ネットワークノード３００の通信機３０２は、図７に示されるように、ユーザ装置５００から少なくとも１つのＲＲＣ測定レポートを受信するよう構成される。ＲＲＣ測定レポートは、ユーザ装置５００と第１ネットワークノード１００との間の少なくとも１つの無線チャネルに関連すべきである（またはそれに関する）。通信機３０２は、ＲＲＣ測定レポートを第１ネットワークノード１００、例えばバックホールリンク７０２へ転送するよう更に構成される。
【０１０４】
以下の開示では、本発明の更なる例示的な実施形態が、結合ＲＡＴ間ＬＴＥ／ＷＬＡＮコンテキストで与えられる。したがって、これらの章では、ＵＥ（本発明のユーザ装置５００に対応する）及びｅＮＢのような用語が使用される。例えば、第１無線チャネルＣ１１は第１ＲＡをＴ使用し、第２無線チャネルＣ２１は第２ＲＡＴを使用する。より詳細には、本発明の更なる実施形態によると、第１ＲＡＴは認可スペクトル帯で動作し、第２ＲＡＴは未認可スペクトル帯で動作し、又はその逆である。例えば、第１ＲＡＴは３ＧＰＰ  ＲＡＴであって良く、第２ＲＡＴはＷＬＡＮであり、又はその逆である。しかしながら、本発明のソリューションは言及されたＲＡＴに限定されず、他のＲＡＴ及びＲＡＴの組合せにおいて適用可能であることが当業者に理解される。他のＲＡＴは、例えばＬｉ−Ｆｉ（光スペクトル）、Ｂｌｕｅｔｏｏｔｈ、ＺｉｇＢｅｅ、等であって良い。
【０１０５】
本発明のソリューションは、概して、３以上の接続を有するマルチ接続ネットワークとして理解できる。これは、例えば、ユーザ装置５００が、異なる無線チャネルを介して、内２つが共同設置である３つの通信リンクにより無線通信システム７００に接続するときの場合に適用可能である。共同設置は、それらが同じ物理的な箱（例えば、ネットワークノード）の中にある、又は閾より小さな、例えば上述の３ＧＰＰ  ＬＷＡの閾に整合する１ｍｓより小さな遅延を有するインタフェースにより接続されることを意味する。本発明による３（以上）の接続は、例えば二重接続又は従来のソリューションに従う他のソリューションと比べて、大きな利益をもたらす。
【０１０６】
三重接続シナリオは、図８に示される。図８は共同設置ＬＴＥ及びＷｉＦｉ／ＬＡＡノード及び非理想的バックホールリンク７０２と共に示されることに留意すべきである。この特定の例では、ＬＴＥマクロノードは第２ネットワークノード３００に対応し、共同設置ＬＴＥ及びＷｉＦｉノードは第１ネットワークノード１００に対応する。しかしながら、ＷＬＡＮセルは、例えば未認可スペクトル上の単独ＬＴＥリンクを用いる（standalone  LTE  link  over  unlicensed  spectrum、ＬＴＥ−Ｕ）、ＬＡＡ、又はＭｕｌＥＴｆｉｒｅセルを用いて、未認可スペクトルで動作するＬＴＥセルでもあり得る。ＲＲＣ無線制御接続（制御プレーン）は、広域移動性が向上されるように、マクロレイヤにおいて終端され得る。図８に示すように、ユーザプレーンは、ダウンリンク（downlink、ＤＬ）又はアップリンク（uplink、ＵＬ）送信のために無線チャネルＣ１１及びＣ１２を介して２つの無線リンクのうちの任意の無線を利用できる。さらに、図８では、ユーザ装置５００は、ＬＴＥマクロノードへ又はそれからのダウンリンク（downlink、ＤＬ）又はアップリンク（uplink、ＵＬ）送信のために、無線チャネルＣ２１を介して、任意無線リンクも有する。しかしながら、各々の三重接続設定は、同じＲＡＴで又は本発明のソリューションに対応する異なるＲＡＴで、（データプレーンについて）少なくとも３つの無線リンク及び（制御プレーンについて）少なくとも１つのＲＲＣ接続を有するべきである。ユーザ装置５００とＬＴＥマクロノードとの間のＲＲＣ接続も図８に示される。さらに、ＬＴＥマクロノードは、上述のように、第３無線チャネルＣ２１を用いて第３無線リンクを介して、ユーザ装置５００へフローＦの第２データパケットシーケンスＳ２を送信するよう構成され得る。フローＦは、本例では、ゲートウェイＳＧＷ／ＰＧＷから受信される。また、ゲートウェイＳＧＷ／ＰＧＷは、インターネットに接続される。それにより、通信システム７００のユーザ装置５００とネットワークノードとの間のダウンリンク（downlink、ＤＬ）又はアップリンク（uplink、ＵＬ）送信のための少なくとも３つの無線リンクは、言い換えると、重なり合わない周波数リソースを有する異なる周波数で動作する少なくとも３つの無線チャネルを用いて維持される。
【０１０７】
ＬＴＥ  ＤＣ又はＬＷＡにおけるように、ベアラは複数の無線リンクに渡り分割されて良く、データパケットが分割ベアラの１つのリンクを介して送信されない使用も含む。この０：１００％分割は、幾つかの状況において有利である。例えば、これは、ＰＤＣＰレイヤにおけるユーザ装置５００での並べ換えが必要ないので、ベアラが分割され両方の無線リンクが使用されるときと比べて遅延ジッタを低減できる。さらに、ユーザプレーンは、分割比を０：１００から１００：０まで変化させることにより、無線リンク間で効果的に切り換えることができ、ユーザ装置５００へ再構成制御メッセージを送信する必要がない。これは、ユーザ装置５００が移動する、又は２つの無線リンクをサポートするセルに対する負荷が変化する（その後、負荷平衡動作が必要である）場合に有利であり得る。０：１００分割では、０％リンク上の無線はアクティブのままであり、ユーザプレーン送信を受信するために待機する（及び、物理ダウンリンク制御チャネル（Physical  Downlink  Control  Channel、ＰＤＣＣＨ）を復号する）。
【０１０８】
３ＧＰＰ  Ｒ１３のＬＷＡ共同設置アーキテクチャと異なり、コアネットワークへのインタフェース、つまりＬＴＥ  ｅＮＢとサービングゲートウェイ（serving  gateway、ＳＧＷ）との間のインタフェース７０４は、図８のマクロノード３００にアンカーされて良い。したがって、ダウンリンクでは、ＳＧＷ／ＰＧＷに接続されているＬＴＥマクロノードは、自身のリソース（マクロセルリンク）とスモールセル共同設置ノードとの間のベアラをどのように分割するかを決定できる。
【０１０９】
本発明の実施形態の別の重要な態様は、パケットデータコンバージェンスプロトコル（Packet  Data  Convergence  Protocol、ＰＤＣＰ）スケジューラ要素の位置である。共同設置動作（例えば、共同スケジューリング）の利点を維持するために、アーキテクチャは、ＬＴＥマクロノード（本例では第２ネットワークノード３００）、及びＬＴＥピコノードとＷｉＦｉ  ＡＰとを含む共同設置スモールセルノード（本例では第１ネットワークノード１００）のために、別個のＰＤＣＰスケジューラを利用する。これは図９に示される。したがって、ＬＴＥマクロノード（つまり第２ネットワークノード３００）がＬＴＥマクロノードと共同設置スモールセルノードとの間の分割を決定する一方で、次に、共同設置スモールセルノード（つまり第１ネットワークノード１００）は、データパケットシーケンスＳ１の後の分割を担う。実質的に、本実施形態によると、ＰＤＣＰスケジューラの２つのレベルの階層が存在する。
【０１１０】
図９では、ＵＥ１は、それぞれ無線チャネルＣ１１、Ｃ１２、及びＣ１３を用いる３つのダウンリンクユーザプレーン無線リンクを有する。ここで、無線チャネルＣ１１及びＣ１２を用いる無線リンクは共同設置スモールセルノード（つまり第１ネットワークノード１００）へ向かい、無線チャネルＣ１３を用いる無線リンクはＬＴＥマクロノード（つまり第２ネットワークノード３００）へ向かう。さらに、ＵＥ２は、それぞれ無線チャネルＣ３１及びＣ３２を用いる、共同設置スモールセルノードへの２つのダウンリンクユーザプレーン無線リンクを有する。ＬＴＥマクロノードは、ＬＴＥマクロノード内に存在する第１ＰＤＣＰスケジューラＰＤＣＰＳ１を含み、マクロセルからＵＥ１へデータパケットを送信するよう構成され、フローＦの残りのデータパケットをバックホールリンク７０２を介して共同設置スモールセルノードへ転送する。共同設置スモールセルノードは、ＬＴＥピコセルノード及びＷｉＦｉ  ＡＰを含む。ここで、共同設置スモールセルノードにおいて、共同設置スモールセルノード内に存在する第２ＰＤＣＰスケジューラＰＤＣＰＳ２は、どのように、これらの転送されたデータパケットＳ１を、ピコセルノード及びＷｉＦｉ  ＡＰ無線リンクの間で無線チャネルＣ３１及びＣ３２を用いて分割し、それらをＵＥ１へ送信するかを決定する。ＬＴＥマクロノードは、ＵＥ２がＬＴＥマクロセルからのリンクを使用すべきではない（例えば、リンク品質が非常に粗悪である）ことを更に決定し、ＵＥ２宛のダウンリンクベアラの全部のデータパケットをバックホールリンク７０２を介して共同設置スモールセルノードへ送信する。共同設置スモールセルノードは、次に、ＵＥ２宛のダウンリンクベアラを、無線チャネルＣ３１及びＣ３２を介してピコセルノード及びＷｉＦｉ  ＡＰの間で分割する。留意すべきことに、図９の例では、ＲＲＣ接続は、ＵＥ１及びＵＥ２の両方についてそれぞれＬＴＥマクロセルノードで終端される。
【０１１１】
さらに、図９では、ＷｉＦｉは、前述のようにダウンリンクのみで唯一動作している。したがって、共同設置スモールセルノードが自身の高機能スケジューリング及び負荷平衡（図１０を参照）においてＷｉＦｉに関するＵＥの無線状態についての情報を利用する場合、この情報を伝達するＲＲＣシグナリングは、バックホールリンク７０２を介して共同設置スモールセルノードへ転送されなければならない。これが該当しない場合、ＷｉＦｉ無線状態の測定は、ＵＥにより測定され、共同設置スモールセルノードに向かう（ＭＡＣ制御要素として）ＷｉＦｉアップリンクを介して送信され得る。以下の測定は、本発明のソリューションにおいて高機能スケジューリング及び負荷平衡のために使用され得る。つまり、
・ＷｉＦｉ：受信信号強度指示子（Received  Signal  Strength  Indicator、ＲＳＳＩ）、受信チャネル電力指示子（Received  Channel  Power  Indicator、ＲＣＰＩ）、及び受信信号対雑音指示子（Received  Signal  to  Noise  Indicator、ＲＳＮＩ）、
・ＬＴＥ：受信信号受信電力（Received  Signal  Received  Power、ＲＳＲＰ）、及び受信信号受信品質（Received  Signal  Received  Quality、ＲＳＲＱ）。
【０１１２】
特にこれらの測定は、それぞれのチャネル品質／状態に依存して、及び対応する負荷に依存して、ＬＴＥ及びＷＬＡＮを介して送信される適正なデータ量を決定するために有用である。留意すべきことに、レイヤ１／レイヤ２における他のＬＴＥ測定、例えばチャネル品質指示子（Channel  Quality  Indicator、ＣＱＩ）は、共同設置スモールセルノードにより直接アクセス可能である。
【０１１３】
図１０は本発明の更なる実施形態を示す。<ここで、アーキテクチャは、ユーザプレーンがＳｅＮＢにおいて終端されるＬＴＥ  ＤＣ構成と同様であるが、２つの差異が生成される。
１．ＲＲＣを終端するＬＴＥマクロセルノード３００は、（従来技術におけるＬＴＥ  ＳｅＮＢの代わりに）共同設置ノード１００にバックホールリンク７０２により接続される。
２．共同設置ノード１００がＷＬＡＮとＬＴＥピコセルとの間の共同スケジューリングを実行するのを支援するために、ＷＬＡＮ情報を伝達するＲＲＣ測定は、ＬＴＥマクロノードから共同設置スモールセルノードへバックホールリンク７０２を介して転送され得る。図１０に示すように、ＷｉＦｉ測定は、ＵＥからＲＲＣ測定にカプセル化されて送信される。
【０１１４】
ＬＴＥマクロノードは、ＲＲＣ確立及びベアラ確立に関与する。共同設置ノードが、（ＷＬＡＮ及びピコセルに渡り分割される、共同設置ノードの決定に従う分割比）ダウンリンクベアラを供給するよう、及びデータ経路を確立するためにコアネットワークと連絡を取るよう、該共同設置ノードに指示する必要がある。ＵＥが移動するとき、ＬＴＥマクロノードは、受信したＲＲＣ測定を分析することにより、共同設置ノード（又は別のセル／ノードタイプ）間で切り換える必要を認識する。ＬＴＥマクロノードは、次に、ＵＥに指示し（ＲＲＣ再構成）、現在及び将来の（切り換え後）共同設置スモールセルノードに指示する。図１０のアーキテクチャの利点は、ＬＴＥマクロノードにアンカーされたＲＲＣが存在し（頻繁なハンドオーバを伴わない非常に良好な移動性性能）、同時にユーザプレーンが共同設置スモールセルノードからＵＥに提供され、高スループットを与えることである。さらに、共同設置スモールセルノードは、既に議論した利点を伴い、共同スケジューリングを実行できる。
【０１１５】
図１１に、本発明の一実施形態に従いダウンリンクベアラを管理するための、ネットワーク側のプロトコルスタックが示される。ＲＲＣプロトコルは、ＵＥ（ＵＥは図１１に示されない）内のＲＲＣピアと通信するために、ＬＴＥマクロｅＮＢレイヤ２（及び図１１に示されないレイヤ１）スタックを使用する。ユーザプレーンベアラは、３つのタイプ：ｉ）マクロのみベアラ、ｉｉ）分割ベアラ、ｉｉｉ）切り換えベアラ、のうちの１つであり得る。マクロのみベアラは、マクロセル（本例では第２ネットワークノード３００）に接続されたＵＥのために、従来のアプローチ（Ｒ８）におけるようにマクロｅＮＢスタックのみを使用する。分割ベアラは、マクロセルと共同設置ピコノード及びＡＰ（本例では第１ネットワークノード１００）との間でＰＤＣＰレイヤにより分割される。言い換えると、ＰＤＣＰレイヤは、（Ｓ１インタフェースを介して）入来データパケットを取り込み、ＰＤＣＰ  ＰＤＵを生成し、それらの幾つかは下流へマクロｅＮＢ  ＲＬＣへ渡され、他のものはバックホール７０２インタフェースを介して共同設置ノードに渡される。共同設置ノードでは、ＰＤＣＰスケジューラは、次に、どのＰＤＣＰ  ＰＤＵがＬＴＥインタフェースを介して送信される（ＬＴＥ  ＲＬＣに渡される）べきか、及びどれがＷＬＡＮを介して送信されるべきか（ＷＬＡＮ  ＭＡＣに渡される）べきかを決定する。切り換えベアラでは、全ての入来データパケットは、ＰＤＣＰ  ＰＤＵにマッピングされ、共同設置ノードへ送信される。ここで、データパケットは、分割ベアラについて記載したのと同様の方法で処理される。
【０１１６】
図１２に、本発明によるＰＤＣＰスケジューラの動作の別の例が示される。１〜６とラベル付けされたデータパケットは、インタフェースを介してコアネットワークから（例えばＳＧＷ／ＰＧＷから）ＬＴＥマクロｅＮＢ（本例では第２ネットワークノード３００）へ到着する。ＰＤＣＰスケジューラは、パケット１、２、及び６をマクロセルを介して送信し、他のデータパケット３、４、及び５をバックホール７０２を介して共同設置ピコ及びＡＰ（本例では第１ネットワークノード３００）に転送することを決定する。共同設置ピコ及びＡＰノードは、データパケット３をＬＴＥ（ピコセル）を介して、及び他の２つのデータパケット４及び５をＡＰを介して送信することを決定する。ＵＥ側では（図１２に示されない）、順序の狂ったデータパケットの到着は、ＰＤＣＰレイヤにより処理される（並べ換え機能）。データパケット番号は、ＰＤＣＰ  ＰＤＵシーケンス番号であると考えられる。この場合、ＰＤＣＰレイヤによるパケットのセグメント化はない。
【０１１７】
図１３は、ＬＴＥピコノード及びＷｉＦｉ  ＡＰを含む共同設置スモールセルノード（本例では第２ネットワークノード３００）を示す。本例では、ＲＲＣ接続は、ゲートウェイＳＧＷ／ＰＧＷからＵＥ宛のフローＦも受信する共同設置スモールセルノードにおいて終端される。図１３は、ＬＴＥマクロノード及びＷｉＦｉ  ＡＰを含む別の共同設置マクロノード（第１ネットワークノード１００に対応する）も示す。共同設置マクロノードは、それぞれ無線チャネルＣ１１及びＣ１２を用いる、ユーザプレーンのためのＵＥへの２つの無線リンクを有する。さらに、共同設置スモールセルノードは、それぞれ無線チャネルＣ２１及びＣ２２を用いる、ユーザプレーンのためのＵＥへの２つの無線リンクを有する。したがって、四重接続が図１３に示される。このソリューションは、共同設置セルのカバレッジ間の境界にいるＵＥに対して、より高いスループットを可能にする。
【０１１８】
図１４は、ＬＴＥマクロノード（つまり第２ネットワークノード３００）が、それぞれ２つの共同設置スモールセルノード１００ａ及び１００ｂに対してＲＲＣアンカーとして動作するときの例を示す。ＵＥは、２つの別個の共同設置スモールセルノード１００ａ、１００ｂにより供され、ＬＴＥマクロノードへのＲＲＣ接続を維持する。これは、２つの共同設置スモールセルノード１００ａ、１００ｂのセル間のオーバラップ領域に位置するＵＥに利益をもたらす。共同設置スモールセルノード１００ａ、１００ｂは、低減された送信電力のために、ＬＴＥマクロセルより遙かに小さなカバレッジを有するので、それらは、マクロセル当たり多数の（例えば５〜１０）共同設置ノードを有し密にパックされ得る。図１４の例では、ＵＥは、共同設置スモールセルノード１００ａ、１００ｂへの、データプレーンのための多数の無線リンクを有する。
【０１１９】
本発明の第１ネットワークノード１００及び第２ネットワークノード３００は、使用される技術及び用語に依存して、（無線）ネットワークノード又はアクセスノード又はアクセスポイント又は基地局、例えば幾つかのネットワークでは送信機、「ｅＮＢ」、「ｅＮｏｄｅＢ」、「ＮｏｄｅＢ」又は「Ｂノード」として参照される無線基地局（Radio  Base  Station、ＲＢＳ）であって良い。無線ネットワークノードは、送信電力に及び従ってセルサイズにも基づき、例えばマクロｅＮｏｄｅＢ、ホームｅＮｏｄｅＢ又はピコ基地局のような異なるクラスのものであって良い。無線ネットワークは、ＩＥＥＥ８０２．１１準拠の媒体アクセス制御（Media  Access  Control、ＭＡＣ）及び無線媒体（Wireless  Medium、ＷＭ）への物理層（Physical  Layer、ＰＨＹ）インタフェースを含む任意の装置である局（Station、ＳＴＡ）であり得る。
【０１２０】
さらに、本発明の実施形態による任意の方法は、処理手段により実行されると該処理手段に当該方法のステップを実行させるコード手段を有するコンピュータプログラムで実装されて良い。コンピュータプログラムは、コンピュータプログラムプロダクトのコンピュータ可読媒体に含まれる。コンピュータ可読媒体は、基本的に、読み出し専用メモリ（Read−Only  Memory、ＲＯＭ）、プログラマブル読み出し専用メモリ（Programmable  Read−Only  Memory、ＰＲＯＭ）、消去可能ＰＲＯＭ（Erasable  PROM、ＥＰＲＯＭ）、フラッシュメモリ、電気的消去可能ＰＲＯＭ（Electrically  Erasable  PROM、ＥＥＰＲＯＭ）のようなメモリ、又はハードディスクドライブを有して良い。
【０１２１】
さらに、ネットワークノードは、例えば機能、手段、ユニット、要素、等の形式で、本発明のソリューションを実行するために必要な通信能力を含むことが当業者により理解される。他のこのような手段、ユニット、要素、及び機能の例は、プロセッサ、メモリ、バッファ、制御ロジック、エンコーダ、デコーダ、レート整合器、逆レート整合器、マッピングユニット、多重化器、決定ユニット、選択ユニット、スイッチ、インターリーバ、逆インターリーバ、変調器、復調器、入力、出力、アンテナ、増幅器、受信ユニット、送信ユニット、ＤＳＰ、ＭＳＤ、ＴＣＭエンコーダ、ＴＣＭデコーダ、電源ユニット、電力供給器、通信インタフェース、通信プロトコル、等である。これらは本発明のソリューションを実行するために適切に共に配置される。
【０１２２】
特に、本発明のネットワークノードのプロセッサは、例えば、中央処理ユニット（Central  Processing  Unit、ＣＰＵ）、処理ユニット、処理回路、プロセッサ、特定用途向け集積回路（Application  Specific  Integrated  Circuit、ＡＳＩＣ）、マイクロプロセッサ、又は命令を解釈し実行し得る他の処理ロジックの１又は複数のインスタンスを含んで良い。表現「プロセッサ」は、したがって、例えば上述の任意の、一部の、又は全部のもののような複数の処理回路を含む処理回路を表して良い。処理回路は、データバッファリングを含むデータを入力し、出力し、及び処理するためのデータ処理機能、及び呼処理制御、ユーザインタフェース制御、等のような装置制御機能を更に実行して良い。
最後に、理解されるべきことに、本発明は上述の実施形態に限定されず、添付の独立請求項の範囲内の全ての実施形態に関連しこれらを包含する。
【図１】
2019503606.tif 000003
【図２】
2019503606.tif 000004
【図３】
2019503606.tif 000005
【図４】
2019503606.tif 000006
【図５】
2019503606.tif 000007
【図６】
2019503606.tif 000008
【図７】
2019503606.tif 000009
【図８】
2019503606.tif 000010
【図９】
2019503606.tif 000011
【図１０】
2019503606.tif 000012
【図１１】
2019503606.tif 000013
【図１２】
2019503606.tif 000014
【図１３】
2019503606.tif 000015
【図１４】
2019503606.tif 000016
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
第１ネットワークノードと第２ネットワークノードとを含む無線通信システムであって、
前記第２ネットワークノードは、ユーザ装置へのＲＲＣ接続を有するよう構成され、前記第２ネットワークノードは、
前記ユーザ装置宛のデータパケットを含むデータフローを受信するよう構成される通信機と、
プロセッサであって、
前記ユーザ装置宛の前記データフローの少なくとも１つの第１データパケットシーケンスを決定し、
前記第１ネットワークノードが少なくとも２つの無線チャネルを介して前記ユーザ装置と通信するよう構成されることを決定するよう構成される、プロセッサと、
を含み、
前記通信機は、
前記第１ネットワークノードが前記ユーザ装置との通信のために少なくとも２つの無線チャネルを有する場合、前記第１ネットワークノードへ前記第１データパケットシーケンスを送信するよう更に構成され、
前記第１ネットワークノードは、
前記第２ネットワークノードから前記第１データパケットシーケンスを受信するよう構成される通信機と、
前記第１データパケットシーケンスを少なくとも１つの第１データパケットサブシーケンス及び１つの第２データパケットサブシーケンスに分割するよう構成されるプロセッサと、
を含み、
前記通信機は、第１無線チャネルを介して第１周波数リソースセットの中で前記第１データパケットサブシーケンスを、及び第２無線チャネルを介して第２周波数リソースセットの中で前記第２データパケットサブシーケンスを、前記ユーザ装置へ送信するよう更に構成され、前記第１周波数リソースセット及び前記第２周波数リソースセットは重なり合わない、無線通信システム。
【請求項２】
無線通信システムの第１ネットワークノードであって、前記第１ネットワークノードは、少なくとも２つの無線チャネルを介してユーザ装置と通信するよう構成され、
第２ネットワークノードから前記ユーザ装置宛のデータフローの第１データパケットシーケンスを受信するよう構成される通信機と、
前記第１データパケットシーケンスを少なくとも１つの第１データパケットサブシーケンス及び１つの第２データパケットサブシーケンスに分割するよう構成されるプロセッサと、
を含み、
前記通信機は、第１無線チャネルを介して第１周波数リソースセットの中で前記第１データパケットサブシーケンスを、及び第２無線チャネルを介して第２周波数リソースセットの中で前記第２データパケットサブシーケンスを、前記ユーザ装置へ送信するよう更に構成され、前記第１周波数リソースセット及び前記第２周波数リソースセットは重なり合わない、第１ネットワークノード。
【請求項３】
前記データフローは、前記第２ネットワークノードへの無線リソース制御（Radio  Resource  Control、ＲＲＣ）接続を有するよう構成される前記ユーザ装置宛である、請求項２に記載の第１ネットワークノード。
【請求項４】
前記通信機は、前記第２ネットワークノードから少なくとも１つのＲＲＣ測定レポートを受信するよう更に構成され、前記ＲＲＣ測定レポートは、前記ユーザ装置と前記第１ネットワークノードとの間の少なくとも１つの無線チャネルに関連し、
前記プロセッサは、前記の受信したＲＲＣ測定レポートに基づき、前記第１データパケットシーケンスを分割するよう更に構成される、
請求項２乃至３のいずれかに記載の第１ネットワークノード。
【請求項５】
前記第１データパケットシーケンスは、前記データフローの全部のデータパケットのうちの一部である、請求項２乃至４のいずれかに記載の第１ネットワークノード。
【請求項６】
前記第１データパケットシーケンスの前記分割は、前記第１データパケットシーケンスの全部のデータパケットを前記第１データパケットサブシーケンス又は前記第２データパケットサブシーケンスのいずれかに分割することを含む、請求項２乃至５のいずれかに記載の第１ネットワークノード。
【請求項７】
前記第１データパケットサブシーケンスは、前記第１無線チャネルを介して第１無線アクセス技術（Radio  Access  Technology、ＲＡＴ）を用いて送信するよう構成され、前記第２データパケットサブシーケンスは、前記第２無線チャネルを介して第２ＲＡＴを用いて送信するよう構成される、請求項２乃至６のいずれかに記載の第１ネットワークノード。
【請求項８】
無線通信システムの第２ネットワークノードであって、前記第２ネットワークノードは、ユーザ装置へのＲＲＣ接続を有するよう構成され、
前記ユーザ装置宛のデータパケットを含むデータフローを受信するよう構成される通信機と、
プロセッサであって、
前記ユーザ装置宛の前記データフローの少なくとも１つの第１データパケットシーケンスを決定し、
少なくとも２つの無線チャネルを介して前記ユーザ装置と通信するよう構成された少なくとも１つの第１ネットワークノードを決定するよう構成される、プロセッサと、
を含み、
前記通信機は、前記第１ネットワークノードが前記ユーザ装置との通信のために少なくとも２つの無線チャネルを有する場合、前記第１ネットワークノードへ前記第１データパケットシーケンスを送信するよう更に構成される、第２ネットワークノード。
【請求項９】
前記プロセッサは、前記ユーザ装置宛の前記データフローの少なくとも１つの第２データパケットシーケンスを決定するよう更に構成され、
前記通信機は、第３無線チャネルを介して第３周波数リソースセットの中で、前記ユーザ装置へ前記第２データパケットシーケンスを送信するよう更に構成される、
請求項８に記載の第２ネットワークノード。
【請求項１０】
前記通信機は、
前記ユーザ装置からから少なくとも１つのＲＲＣ測定レポートを受信し、前記ＲＲＣ測定レポートは、前記ユーザ装置と前記第１ネットワークノードとの間の少なくとも１つの無線チャネルに関連し、
前記ＲＲＣ測定レポートを前記第１ネットワークノードへ転送するよう更に構成される、
請求項８又は９に記載の第２ネットワークノード。
【請求項１１】
前記通信機は、第１無線チャネルを介して又は第２無線チャネルを介して前記第１ネットワークノードからの第１データパケットシーケンスを監視し及び受信するよう、前記ユーザ装置へ指示を送信するよう更に構成される、請求項８乃至１０に記載の第２ネットワークノード。
【請求項１２】
無線通信システムの方法であって、前記無線通信システムは、少なくとも２つの無線チャネルを介してユーザ装置と通信するよう構成される第１ネットワークノードと、前記ユーザ装置へのＲＲＣ接続を有する第２ネットワークノードと、を含み、前記方法は、
前記第２ネットワークノードにより、前記ユーザ装置宛のデータパケットを含むデータフローを受信するステップと、
前記第２ネットワークノードにより、前記ユーザ装置宛の前記データフローの少なくとも１つの第１データパケットシーケンスを決定するステップと、
前記第２ネットワークノードにより、前記第１ネットワークノードは少なくとも２つの無線チャネルを介して前記ユーザ装置と通信するよう構成されることを決定するステップと、
前記第２ネットワークノードにより、前記第１ネットワークノードが前記ユーザ装置との通信のために少なくとも２つの無線チャネルを有する場合、前記第１ネットワークノードへ前記第１データパケットシーケンスを送信するステップと、
前記第１ネットワークノードにより、前記第２ネットワークノードから前記第１データパケットシーケンスを受信するステップと、
前記第１ネットワークノードにより、前記第１データパケットシーケンスを少なくとも第１データパケットサブシーケンス及び第２データパケットサブシーケンスに分割するステップと、
前記第１ネットワークノードにより、第１無線チャネルを介して第１周波数リソースセットの中で第１データパケットサブシーケンスを、及び第２無線チャネルを介して第２周波数リソースセットの中で第２データパケットサブシーケンスを、前記ユーザ装置へ送信するステップであって、前記第１周波数リソースセット及び前記第２周波数リソースセットは重なり合わない、ステップと、
を含む方法。
【請求項１３】
第１ネットワークノードの方法であって、前記第１ネットワークノードは、少なくとも２つの無線チャネルを介してユーザ装置と通信するよう構成され、前記方法は、
第２ネットワークノードから前記ユーザ装置宛のデータフローの第１データパケットシーケンスを受信するステップと、
前記第１データパケットシーケンスを少なくとも１つの第１データパケットサブシーケンス及び１つの第２データパケットサブシーケンスに分割するステップと、
第１無線チャネルを介して第１周波数リソースセットの中で前記第１データパケットサブシーケンスを、及び第２無線チャネルを介して第２周波数リソースセットの中で前記第２データパケットサブシーケンスを、前記ユーザ装置へ送信するステップであって、前記第１周波数リソースセット及び前記第２周波数リソースセットは重なり合わない、ステップと、
を含む方法。
【請求項１４】
第２ネットワークノードの方法であって、前記第２ネットワークノードは、ユーザ装置へのＲＲＣ接続を有するよう構成され、前記方法は、
前記ユーザ装置宛のデータパケットを含むデータフローを受信するステップと、
前記ユーザ装置宛の前記データフローの少なくとも１つの第１データパケットシーケンスを決定するステップと、
少なくとも２つの無線チャネルを介して前記ユーザ装置と通信するよう構成された少なくとも１つの第１ネットワークノードを決定するステップと、
前記第１ネットワークノードが前記ユーザ装置との通信のために少なくとも２つの無線チャネルを有する場合、前記第１ネットワークノードへ前記第１データパケットシーケンスを送信するステップと、
を含む方法。
【請求項１５】
コンピュータプログラムであって、前記コンピュータプログラムがコンピュータで実行すると、請求項１２乃至１４のいずれかに記載の方法を実行するためのプログラムコードを有するコンピュータプログラム。
【国際調査報告】
2019503606.tif 000017
2019503606.tif 000018
2019503606.tif 000019